(57)【特許請求の範囲】
【請求項１】
設置場所に応じて設定された構成装置の設置条件を表す設置条件情報を記憶する設置条件情報記憶手段と、
設置予定システムを構成する構成装置を特定する情報と、当該設置予定システムの設置予定場所を表す情報と、を含む設置予定システム情報の入力を受け付けるシステム情報入力受付手段と、
記憶されている前記設置条件情報に基づいて、入力を受け付けた前記設置予定システム情報にて特定される前記構成装置を前記設置予定場所に設置可能か否かを判断して当該設置予定システムの設置条件を算出するシステム設置条件算出手段と、
を備えたことを特徴とする情報処理装置。
【請求項２】
前記設置条件情報記憶手段に記憶されている前記設置条件情報は、所定場所に既に設置されている設置システムを構成する構成装置及びその設置場所に基づいて設定された情報である、
ことを特徴とする請求項１記載の情報処理装置。
【請求項３】
前記設置システムから当該設置システムを特定する識別情報及び当該設置システムが設置されている場所を表すシステム設置場所情報を取得する設置システム情報取得手段と、
前記設置システム情報取得手段にて取得した前記識別情報及び前記システム設置場所情報に基づいて、当該識別情報にて特定される前記設置システムを構成する構成装置の設置場所を特定し、当該特定された構成装置及びその設置場所に応じて前記設置条件情報記憶手段に記憶されている前記設置条件情報を更新する設置条件情報更新手段と、
を備えたことを特徴とする請求項２記載の情報処理装置。
【請求項４】
前記設置条件情報記憶手段に記憶されている前記設置条件情報は、前記構成装置が設置可能と設定された設置場所を表す情報を含み、
前記システム設置条件算出手段は、前記設置予定システム情報にて特定される構成装置の設置予定場所が、当該構成装置が設置可能な設置場所として前記設置条件情報に記憶されている場合に、前記設置予定システムが設置可能と判断して当該設置予定システムの前記設置条件を算出する、
ことを特徴とする請求項１，２又は３記載の情報処理装置。
【請求項５】
前記設置条件情報記憶手段に記憶されている前記設置条件情報は、前記構成装置が設置可能な設置場所及び当該構成装置の設置に必要な他の構成を表す情報を含み、
前記システム設置条件算出手段は、前記設置予定システム情報にて特定される構成装置の設置予定場所が、当該構成装置が設置可能な設置場所として前記設置条件情報に記憶されていると共に、当該設置条件情報に記憶されている前記設置予定システム情報にて特定される構成装置の設置に必要な前記他の構成を表す情報が、当該設置予定システム情報に含まれている場合に、前記設置予定システムが設置可能と判断して当該設置予定システムの前記設置条件を算出する、
ことを特徴とする請求項４記載の情報処理装置。
【請求項６】
前記設置条件情報記憶手段に記憶されている前記設置条件情報は、設置場所毎における前記構成装置の設置許容数を表す設置許容数情報を含み、
前記設置条件算出手段は、前記設置予定システム情報にて特定される構成装置の設置予定場所における設置台数が、当該場所における前記設置条件情報に記憶された設置許容数の範囲内である場合に、前記設置予定システムが設置可能であると判断して前記設置条件を算出する、
ことを特徴とする請求項１，２，３，４又は５記載の情報処理装置。
【請求項７】
前記設置条件情報記憶手段に記憶されている前記設置条件情報は、設置場所毎における前記構成装置の設置許容容量を表す情報を含み、
前記設置条件算出手段は、前記設置予定システム情報にて特定される構成装置の設置予定場所における設置容量が、当該場所における前記設置条件情報に記憶された設置許容容量の範囲内である場合に、前記設置予定システムが設置可能であると判断して前記設置条件を算出する、
ことを特徴とする請求項１，２，３，４，５又は６記載の情報処理装置。
【請求項８】
前記設置条件情報記憶手段に記憶されている前記設置条件情報は、前記構成装置の設置場所毎における価格を表す情報を含み、
前記設置条件算出手段は、前記設置予定システム情報にて特定される構成装置の設置予定場所における価格を、当該場所における当該構成装置の前記設置条件情報に記憶された価格を表す情報に基づいて前記設置条件として算出する、
ことを特徴とする請求項１，２，３，４，５，６又は７記載の情報処理装置。
【請求項９】
コンピュータに、
設置予定システムを構成する構成装置を特定する情報と、当該設置予定システムの設置予定場所を表す情報と、を含む設置予定システム情報の入力を受け付けるシステム情報入力受付手段と、
設置条件情報記憶手段に記憶されている設置場所に応じて設定された構成装置の設置条件を表す設置条件情報に基づいて、入力を受け付けた前記設置予定システム情報にて特定される前記構成装置を前記設置予定場所に設置可能か否かを判断して当該設置予定システムの設置条件を算出するシステム設置条件算出手段と、
を実現させるためのプログラム。
【請求項１０】
前記設置条件情報は、所定場所に既に設置されている設置システムを構成する構成装置及びその設置場所に基づいて設定された情報である、
ことを特徴とする請求項９記載のプログラム。
【請求項１１】
前記コンピュータに、
前記設置システムから当該設置システムを特定する識別情報及び当該設置システムが設置されている場所を表すシステム設置場所情報を取得する設置システム情報取得手段と、
前記設置システム情報取得手段にて取得した前記識別情報及び前記システム設置場所情報に基づいて、当該識別情報にて特定される前記設置システムを構成する構成装置の設置場所を特定し、当該特定された構成装置及びその設置場所に応じて前記設置条件情報記憶手段に記憶されている前記設置条件情報を更新する設置条件情報更新手段と、
を実現させるための請求項１０記載のプログラム。
【請求項１２】
情報処理装置が、設置予定システムを構成する構成装置を特定する情報と、当該設置予定システムの設置予定場所を表す情報と、を含む設置予定システム情報の入力を受け付けるシステム情報入力受付工程と、
設置条件情報記憶手段に記憶されている設置場所に応じて設定された構成装置の設置条件を表す設置条件情報に基づいて、前記情報処理装置が、入力を受け付けた前記設置予定システム情報にて特定される前記構成装置を前記設置予定場所に設置可能か否かを判断して当該設置予定システムの設置条件を算出するシステム設置条件算出工程と、
を有することを特徴とする情報処理方法。
【請求項１３】
前記設置条件情報は、所定場所に既に設置されている設置システムを構成する構成装置及びその設置場所に基づいて設定された情報である、
ことを特徴とする請求項１２記載の情報処理方法。
【請求項１４】
前記情報処理装置が、前記設置システムから当該設置システムを特定する識別情報及び当該設置システムが設置されている場所を表すシステム設置場所情報を取得する設置システム情報取得工程と、
前記情報処理装置が、前記設置システム情報取得工程にて取得した前記識別情報及び前記システム設置場所情報に基づいて、当該識別情報にて特定される前記設置システムを構成する構成装置の設置場所を特定し、当該特定された構成装置及びその設置場所に応じて前記設置条件情報記憶手段に記憶されている前記設置条件情報を更新する設置条件情報更新工程と、
を有することを特徴とする請求項１３記載の情報処理方法。
【発明の詳細な説明】
【技術分野】
【０００１】
本発明は、情報処理装置にかかり、特に、システムの設置条件を算出する情報処理装置に関する。
【背景技術】
【０００２】
情報処理装置のロケーション管理システムの一例が、特許文献１に記載されている。この特許文献１に記載されている構成管理システムは次のように動作する。
１．特定の地理的ロケーションに関連付けられている情報を、ユーザからの要求がなくても移動装置に電子的に転送する。
２．移動装置上で、構成管理システムから送信された情報を、ロケーションに基づくリソースの仮想マップの形態でローカルに解釈する。
３．移動装置は、ＧＰＳ（Global Positioning System：全地球測位システ）、または、計算に基づく測定と予測とのプロセスを用いることによって、そのロケーションを決定する。
４．移動装置は、位置情報を利用し、かつ、この情報を利用可能なロケーションに基づく装置内のリソースと比較する。
【０００３】
これにより、上記構成管理システムでは、物理的なロケーション管理を行うことが可能となっている。
【０００４】
また、構成管理システムから情報を抽出する手法の一例が、特許文献２に記載されている。この特許文献２に記載されている構成管理システムは、次のように動作する。
１．複数の情報処理部を有する端末をネットワークに接続する。
２．ネットワークに設計内容データベースを格納した補助記憶手段と、データの処理やアプリケーションの実行を行う情報処理部とを有するサーバを接続する。
３．端末の情報処理部が、端末において作成された設計内容データをサーバに供給する。
４．サーバは、変更された設計内容データに基づいたデータ定義言語のデータを出力する。
５．設計内容データに関連したデータを変更し、設計資料データを出力する。
【０００５】
これにより、上記構成管理システムでは、設計内容データを元に設計資料データを出力する仕組みを有している。
【０００６】
以上のように、情報処理装置の構成管理システムでは、各構成管理対象装置の構成情報を構成管理エージェントが捜索し、構成管理マネージャに通知する。そして、構成管理マネージャは、構成管理エージェントから受け取った構成情報を元に整形し、ユーザが管理し易い画面を提供する。特に、構成管理対象装置のロケーションについて、物理的ロケーションや論理的ロケーションを表示することが可能である。
【０００７】
【特許文献１】特表２００４−５３１９４６号公報
【特許文献２】特開２００３−１８６７１６号公報
【特許文献３】特開２００４−１１２２７９号公報
【発明の開示】
【発明が解決しようとする課題】
【０００８】
ところが、構成管理対象装置の移動があった場合には、移動前の構成管理対象装置ロケーションを削除することや、移動前の構成管理対象装置と移動後の構成管理対象装置が同一装置であることを手動で設定するなどの対処が必要である。これらは、自動的に構成情報を収集することを主なメリットとする構成管理システムにおいて、操作者の手間が生じ、また、コストの増大を招くことになる。
【０００９】
これに対して、特許文献３に開示のシステムは、ネットワークアドレスを用いてネットワークにおける各管理対象装置の論理的構成を管理している。さらに、このシステムでは、ＧＰＳによって自装置の位置（緯度、経度、及び高度等）を表す地理情報を取得して、各管理対象装置の位置的構成も管理している。これにより、管理対象装置のネットワーク構成が変化した場合であっても、新たなネットワーク構成を把握している。
【００１０】
しかしながら、上述したシステムでは、論理的構成や位置的構成を一元管理することは可能であるが、ユーザにとって付加的な情報を提供するには至っていない。例えば、新たなシステムを導入する際には、すでに存在するシステムの構成を考慮して、導入するシステムの仕様情報が不可欠であるが、その都度、他のシステムの構成情報やロケーション情報を参照し、手動で算出しなければならない。従って、設置予定システムの仕様情報を取得する際に情報算出の手間がかかる、という問題があった。
【００１１】
このため、本発明の目的は、上述した課題である、容易にシステムの仕様情報を提供することにある。
【課題を解決するための手段】
【００１２】
かかる目的を達成するため本発明の一形態である情報処理装置は、
設置場所に応じて設定された構成装置の設置条件を表す設置条件情報を記憶する設置条件情報記憶手段と、
設置予定システムを構成する構成装置を特定する情報と、当該設置予定システムの設置予定場所を表す情報と、を含む設置予定システム情報の入力を受け付けるシステム情報入力受付手段と、
記憶されている上記設置条件情報に基づいて、入力を受け付けた上記設置予定システム情報にて特定される上記構成装置を上記設置予定場所に設置可能か否かを判断して当該設置予定システムの設置条件を算出するシステム設置条件算出手段と、
を備えたことを特徴とする。
【００１３】
また、本発明の他の形態であるプログラムは、
コンピュータに、
設置予定システムを構成する構成装置を特定する情報と、当該設置予定システムの設置予定場所を表す情報と、を含む設置予定システム情報の入力を受け付けるシステム情報入力受付手段と、
設置場所に応じて設定された構成装置の設置条件を表す設置条件情報に基づいて、入力を受け付けた上記設置予定システム情報にて特定される上記構成装置を上記設置予定場所に設置可能か否かを判断して当該設置予定システムの設置条件を算出するシステム設置条件算出手段と、
を実現させるためのプログラムである。
【００１４】
また、本発明の他の形態である情報処理方法は、
設置予定システムを構成する構成装置を特定する情報と、当該設置予定システムの設置予定場所を表す情報と、を含む設置予定システム情報の入力を受け付けるシステム情報入力受付工程と、
設置場所に応じて設定された構成装置の設置条件を表す設置条件情報に基づいて、入力を受け付けた上記設置予定システム情報にて特定される上記構成装置を上記設置予定場所に設置可能か否かを判断して当該設置予定システムの設置条件を算出するシステム設置条件算出工程と、
を有することを特徴とする。
【発明の効果】
【００１５】
本発明は、以上のように構成されることにより、容易に設置予定システムの仕様を算出することができ、その結果、システム構築の信頼性の向上、及び、迅速化を図ることができる。
【発明を実施するための最良の形態】
【００１６】
本発明の一形態である情報処理装置は、
設置場所に応じて設定された構成装置の設置条件を表す設置条件情報を記憶する設置条件情報記憶手段と、
設置予定システムを構成する構成装置を特定する情報と、当該設置予定システムの設置予定場所を表す情報と、を含む設置予定システム情報の入力を受け付けるシステム情報入力受付手段と、
記憶されている上記設置条件情報に基づいて、入力を受け付けた上記設置予定システム情報にて特定される上記構成装置を上記設置予定場所に設置可能か否かを判断して当該設置予定システムの設置条件を算出するシステム設置条件算出手段と、
を備えたことを特徴とする。
【００１７】
また、上記情報処理装置では、
上記設置条件情報記憶手段に記憶されている上記設置条件情報は、所定場所に既に設置されている設置システムを構成する構成装置及びその設置場所に基づいて設定された情報である、
ことを特徴とする。
【００１８】
また、上記情報処理装置では、
上記設置システムから当該設置システムを特定する識別情報及び当該設置システムが設置されている場所を表すシステム設置場所情報を取得する設置システム情報取得手段と、
上記設置システム情報取得手段にて取得した上記識別情報及び上記システム設置場所情報に基づいて、当該識別情報にて特定される上記設置システムを構成する構成装置の設置場所を特定し、当該特定された構成装置及びその設置場所に応じて上記設置条件情報記憶手段に記憶されている上記設置条件情報を更新する設置条件情報更新手段と、
を備えたことを特徴とする。
【００１９】
また、上記情報処理装置では、
上記設置条件情報記憶手段に記憶されている上記設置条件情報は、上記構成装置が設置可能と設定された設置場所を表す情報を含み、
上記システム設置条件算出手段は、上記設置予定システム情報にて特定される構成装置の設置予定場所が、当該構成装置が設置可能な設置場所として上記設置条件情報に記憶されている場合に、上記設置予定システムが設置可能と判断して当該設置予定システムの上記設置条件を算出する、
ことを特徴とする。
【００２０】
また、上記情報処理装置では、
上記設置条件情報記憶手段に記憶されている上記設置条件情報は、上記構成装置が設置可能な設置場所及び当該構成装置の設置に必要な他の構成を表す情報を含み、
上記システム設置条件算出手段は、上記設置予定システム情報にて特定される構成装置の設置予定場所が、当該構成装置が設置可能な設置場所として上記設置条件情報に記憶されていると共に、当該設置条件情報に記憶されている上記設置予定システム情報にて特定される構成装置の設置に必要な上記他の構成を表す情報が、当該設置予定システム情報に含まれている場合に、上記設置予定システムが設置可能と判断して当該設置予定システムの上記設置条件を算出する、
ことを特徴とする。
【００２１】
また、上記情報処理装置は、
上記設置条件情報記憶手段に記憶されている上記設置条件情報は、設置場所毎における上記構成装置の設置許容数を表す設置許容数情報を含み、
上記設置条件算出手段は、上記設置予定システム情報にて特定される構成装置の設置予定場所における設置台数が、当該場所における上記設置条件情報に記憶された設置許容数の範囲内である場合に、上記設置予定システムが設置可能であると判断して上記設置条件を算出する、
ことを特徴とする。
【００２２】
また、上記情報処理装置では、
上記設置条件情報記憶手段に記憶されている上記設置条件情報は、設置場所毎における上記構成装置の設置許容容量を表す情報を含み、
上記設置条件算出手段は、上記設置予定システム情報にて特定される構成装置の設置予定場所における設置容量が、当該場所における上記設置条件情報に記憶された設置許容容量の範囲内である場合に、上記設置予定システムが設置可能であると判断して上記設置条件を算出する、
ことを特徴とする。
【００２３】
また、上記情報処理装置では、
上記設置条件情報記憶手段に記憶されている上記設置条件情報は、上記構成装置の設置場所毎における価格を表す情報を含み、
上記設置条件算出手段は、上記設置予定システム情報にて特定される構成装置の設置予定場所における価格を、当該場所における当該構成装置の上記設置条件情報に記憶された価格を表す情報に基づいて上記設置条件として算出する、
ことを特徴とする。
【００２４】
上記発明によると、まず、情報処理装置は、設置場所に応じて設定された構成装置の設置条件情報を記憶している。この設置条件情報は、特に、既に設置されている設置システムの構成装置及びその設置場所に基づいて設定されている。つまり、既存の設置システムの設置状態を考慮して、他の設置予定システムの設置条件が設定されている。そして、さらに、情報処理装置は、既に設置されている設置システムから当該システムの構成装置及びその設置場所を表す情報を取得して、設置システムの設置場所の移動に応じて設置条件情報を更新する。これにより、情報処理装置は、常に現状の設置システムの設置状態に応じた設置条件情報を記憶していることとなる。
【００２５】
ここで、設置条件情報は、例えば、構成装置の設置が可能な設置場所、構成装置の設置に必要な他の構成、設置場所毎における設置が許容される構成装置の数や容量、設置場所毎における構成装置の価格、などの設置条件情報を記憶している。そして、情報処理装置は、設置予定システムの構成装置と設置場所を表す情報を含む設置予定システム情報の入力を受け付けると、上記設置条件情報に基づいて、入力された構成装置を備える設置予定システムを、設置予定場所に設置可能か否かを判断して設置条件を算出する。
【００２６】
具体的には、設置予定システムを構成する全ての構成装置の設置予定場所が、設置条件情報に設置可能な設置場所として記憶されている場合に、設置予定システムが設置可能であると判断する。また、設置条件情報に記憶されている設置予定システムを構成する全ての構成装置の設置に必要な他の構成が、入力された設置予定システムの構成として含まれている場合に、設置予定システムが設置可能であると判断する。また、設置予定システムを構成する全ての構成装置の数や容量が、その設置予定場所において、設置条件情報に記憶されている設置許容数、設置許容容量の範囲内である場合に、設置予定システムが設置可能であると判断する。さらには、設置予定システムを構成する構成装置の価格を、その設置予定場所における設置条件情報に記憶されている価格に基づいて算出して、設置予定システムの設置条件として算出する。
【００２７】
これにより、設置予定システムの設置予定場所における設置可否を含む設置条件を算出することができ、容易に設置予定システムの仕様を把握することができる。その結果、システム構築の信頼性の向上、及び、迅速化を図ることができる。
【００２８】
また、本発明の他の形態であるプログラムは、
コンピュータに、
設置予定システムを構成する構成装置を特定する情報と、当該設置予定システムの設置予定場所を表す情報と、を含む設置予定システム情報の入力を受け付けるシステム情報入力受付手段と、
設置場所に応じて設定された構成装置の設置条件を表す設置条件情報に基づいて、入力を受け付けた上記設置予定システム情報にて特定される上記構成装置を上記設置予定場所に設置可能か否かを判断して当該設置予定システムの設置条件を算出するシステム設置条件算出手段と、
を実現させるためのプログラムである。
【００２９】
また、上記プログラムでは、
上記設置条件情報は、所定場所に既に設置されている設置システムを構成する構成装置及びその設置場所に基づいて設定された情報である、
ことを特徴とする。
【００３０】
また、上記プログラムでは、
上記コンピュータに、
上記設置システムから当該設置システムを特定する識別情報及び当該設置システムが設置されている場所を表すシステム設置場所情報を取得する設置システム情報取得手段と、
上記設置システム情報取得手段にて取得した上記識別情報及び上記システム設置場所情報に基づいて、当該識別情報にて特定される上記設置システムを構成する構成装置の設置場所を特定し、当該特定された構成装置及びその設置場所に応じて上記設置条件情報を更新する設置条件情報更新手段と、
を実現させる、ことを特徴とする。
【００３１】
また、本発明の他の形態である情報処理方法は、
設置予定システムを構成する構成装置を特定する情報と、当該設置予定システムの設置予定場所を表す情報と、を含む設置予定システム情報の入力を受け付けるシステム情報入力受付工程と、
設置場所に応じて設定された構成装置の設置条件を表す設置条件情報に基づいて、入力を受け付けた上記設置予定システム情報にて特定される上記構成装置を上記設置予定場所に設置可能か否かを判断して当該設置予定システムの設置条件を算出するシステム設置条件算出工程と、
を有することを特徴とする。
【００３２】
また、上記情報処理方法では、
上記設置条件情報は、所定場所に既に設置されている設置システムを構成する構成装置及びその設置場所に基づいて設定された情報である、
ことを特徴とする。
【００３３】
また、上記情報処理方法では、
上記設置システムから当該設置システムを特定する識別情報及び当該設置システムが設置されている場所を表すシステム設置場所情報を取得する設置システム情報取得工程と、
上記設置システム情報取得工程にて取得した上記識別情報及び上記システム設置場所情報に基づいて、当該識別情報にて特定される上記設置システムを構成する構成装置の設置場所を特定し、当該特定された構成装置及びその設置場所に応じて上記設置条件情報を更新する設置条件情報更新工程と、
を有することを特徴とする。
【００３４】
上述した構成を有する、プログラム、又は、情報処理方法、の発明であっても、上記情報処理装置と同様の作用を有するために、上述した本発明の目的を達成することができる。
【００３５】
＜実施形態＞
以下、本発明に係る、情報処理装置、プログラム、及び、情報処理方法、の各実施形態について図１乃至図１３を参照しながら説明する。なお、図１は、本発明である構成管理システムの構成を示すブロック図であり、図２は、構成管理システムを構成する各装置の詳細な構成を示すブロック図である。図３は、物理ロケーションの座標定義を示す説明図である。図４は、物理ロケーションの表示例を示す図であり、図５は、論理ロケーションの表示例を示す図である。図６は、構成チェックの一例を示す図、図７は、構成見積の一例を示す図、図８は、キャパシティ見積の一例を示す図である。図９乃至図１２は、構成管理システムの動作を示すフローチャートである。図１３は、本発明の構成の変形例を示すブロック図である。
【００３６】
［構成］
図１に示すように、本発明における構成管理システムは、所定場所に既に設置されている設置システム１，２，３と、これらの設置位置を表す物理ロケーションを検知する物理ロケーション検知部６と、設置システム１，２，３を管理する管理サーバ４と、を備えている。そして、本発明では、各設置システム１，２，３それぞれに固有の識別情報（ＩＤ）を付与して、当該各設置システム１，２，３を構成する構成装置の物理ロケーションや論理ロケーションを管理する。また、本実施形態では、ユーザＵが入力した、あるいは、構成管理ソフトウェアなどから自動入力された設置を予定している設置予定システムの構成情報に基づいて、当該設置予定システムの設置可否や費用などの設置条件を算出することが可能である。以下、各構成について具体的に説明する。
【００３７】
（設置システム）
上記設置システム１，２，３は、例えば、所定のサービス提供を行う一般的な情報処理装置であり、種々のハードウェアやソフトウェアを備えた構成となっている。そして、本実施形態では、設置システム１，２，３、は、日本全国の離れた拠点に点在しているものとする。なお、図１，２では、設置システム１，２，３を３つ図示しているが、設置されている数はこれに限定されない。
【００３８】
また、本実施形態では、設置システム１，２，３は、それらの構成が管理対象となっており、例えば、ハードウェア、ソフトウェア、ネットワーク、プログラムプロダクト等の構成が、後述するように管理サーバ４にて管理される。この構成管理を実現するために、設置システム１，２，３は、物理ロケーション通知部１１，２１，３１と論理ロケーション通知部１２，２２，３２とを備えた構成管理エージェント１０，２０，３０を備えている。なお、構成管理エージェント１０，２０，３０は、例えば、設置システム１，２，３に装備された演算装置に、構成管理エージェント用のプログラムが組み込まれることによって実現される。
【００３９】
そして、上記物理ロケーション通知部１１，２１，３１は、ＧＰＳ受信機（Global Positioning System）を装備してＧＰＳ機能を有しており、設置システム１，２，３の場所、高さを、ＧＰＳ機能によって特定し、この特定された位置情報である物理ロケーション情報を物理ロケーション検知部６に送信する。そして、この送信した物理ロケーション情報は、後述するように、物理ロケーション検知部６を介して管理サーバ４に通知される。このとき、物理ロケーション通知部１１，１２，１３は、物理ロケーション情報と共に、各設置システム１，２，３に予め設定され記憶されている当該設置システムに固有の識別情報（ＩＤ）も、物理ロケーション検知部６に送信する。なお、物理ロケーション検知部６への物理ロケーション情報の送信方法は、無線通信にて送信してもよく、あるいは、有線ネットワークを介して送信してもよい。また、ＧＰＳ機能を用いて設置システム１，２，３の位置を特定することに限定されず、他の手法にて設置システム１，２，３の位置を特定し、管理サーバ４に通知してもよい。
【００４０】
また、上記論理ロケーション通知部１２，２２，３２は、設置システム１，２，３に装備されたＢＩＯＳ（Basic Input/Output System）やマザーボードのＲＡＭ（Random Access Memory）に、当該設置システム１，２，３のネットワークアドレスなどの論理ロケーション情報（ネットワークシステム構造上の所属位置）を随時書き込む。そして、設置システム１，２，３の電源が入っていない状態であっても、上記論理ロケーション情報を管理サーバ４の論理ロケーション収集部４２にネットワークを介して送信する。このとき、論理ロケーション通知部２１，２２，２３は、論理ロケーション情報と共に、各設置システム１，２，３に予め設定され記憶されている当該設置システムに固有の識別情報（ＩＤ）も、管理サーバ４の論理ロケーション収集部４２に送信する。
【００４１】
（物理ロケーション検知部）
次に、物理ロケーション検知部６について説明する。本実施形態では、物理ロケーション検知部６はＧＰＳ衛星である。そして、上述したように、各設置システム１の物理ロケーション通知部１１，２１，３１から無線通信にて送信された物理ロケーション情報、つまり、各設置システム１，２，３が設置されている地球上の場所及び高さを表す情報を受信する。そして、これらの情報をまとめて、管理サーバ４の物理ロケーション収集部４１に送信する。このとき、物理ロケーション検知部６は、物理ロケーション通知部１１，１２，１３から物理ロケーション情報と共に送信された各設置システム１，２，３に固有の識別情報（ＩＤ）も、管理サーバ４の物理ロケーション収集部４１に送信する。なお、本実施形態では、物理ロケーション検知部６はＧＰＳ衛星であるが、ネットワークに接続されたサーバコンピュータであってもよい。
【００４２】
（管理サーバ）
次に、管理サーバ４の構成について説明する。本実施形態における管理サーバ４は、演算装置、記憶装置、入力部、表示部、などを備えた一般的なサーバコンピュータ（情報処理装置）であり、上述した設置システム１，２，３の設置場所及び構成を管理する構成管理マネージャ４０を備えている。この構成管理マネージャ４０は、具体的には、物理ロケーション収集部４１と、論理ロケーション収集部４２と、ロケーション収集部４３と、画面表示部４４と、サービス仕様算出部４５と、入力受付部４６と、構成チェック部４７と、構成見積部４８と、キャパシティ見積部４９と、データベース更新部５０と、を備えている。なお、上記各部４１，４２，４３，４４，４５，４６，４７，４８，４９，５０は、管理サーバ４に装備された演算装置にプログラムが組み込まれることによって実現されている。また、構成管理マネージャ４０は、管理サーバ４に装備された記憶装置に構築された、構成チェックデータベース５１と、構成見積データベース５２と、キャパシティ見積データベース５３と、を備えている。
【００４３】
上記物理ロケーション収集部４１（設置システム情報取得手段）は、物理ロケーション検知部６から送信された各設置システム１，２，３の物理ロケーション情報を収集し、ロケーション収集部４３に渡す。そして、ロケーション収集部４３は、収集した物理ロケーション情報を、予め設定された図３に示すような座標定義と照合し、物理ロケーション情報を三次元座標、つまり、（Ｘ，Ｙ，Ｚ）座標上で表し、通知された設置システム１，２，３毎の識別情報と共に管理する。そして、さらに、ロケーション収集部４３は、図３の表に示すように保持している場所と座標の対応表と照合し、図３の網掛け部分に示すように、その識別情報の設置システムの物理ロケーションを特定する。そして、ロケーション収集部４３は、特定した設置システム１，２，３の位置を、地図上に表示するよう整形処理し、画面表示部４４に通知する。すると、画面表示部４４は、表示部に設置システム１，２，３のシステム名や構成、及び、位置（住所）を表示する。このときの表示例を図４に示す。
【００４４】
以上により、設置システム１，２，３が移動されることにより、物理ロケーションが変化した場合であっても、かかる物理ロケーション情報を管理サーバ４が収集することで、その移動後の位置をユーザＵに表示することができる。
【００４５】
また、上記論理ロケーション収集部４２は、上述したように各設置システム１，２，３から送信された論理ロケーション情報を収集し、ロケーション収集部４３に通知する。そして、ロケーション収集部４３は、収集した論理ロケーション情報を、予め設定されたルーティングテーブルと照合し、各設置システム１，２，３の論理ロケーションを特定する。そして、ロケーション収集部４３は、特定した設置システム１，２，３の論理的な位置を、ネットワーク構成図上に表示するよう整形処理し、画面表示部４４に通知する。すると、画面表示部４４は、表示部に設置システム１，２，３のシステム名、及び、ネットワークアドレスを表示する。このときの表示例を図５に示す。
【００４６】
以上により、設置システム１，２，３が移動されることにより、論理ロケーションが変化した場合であっても、かかる論理ロケーション情報を管理サーバ４が収集することで、その移動後の論理的な位置をユーザＵに表示することができる。
【００４７】
また、上記入力受付部４６（システム情報入力受付手段）は、ユーザＵあるいは所定のソフトウェアから入力された、新規に設置予定のシステムである設置予定システムを特定する情報（設置予定システム情報）を受け付けて、サービス仕様算出部４５に渡す。このとき、設置予定システム情報は、当該設置予定システムを構成する構成装置を特定する情報と、当該設置予定システムの設置予定場所を表す情報と、を含んでいる。例えば、図６に示す例では、入力された設置予定システムの構成は、「Ａ製品、Ｂ製品、Ｃ製品、ＸＸＸ製品、ＡＡＡ製品」であり、設置予定場所は、「東京」である。
【００４８】
そして、上記サービス仕様算出部４５は、構成チェック部４７、構成見積部４８、キャパシティ見積部４９と協働して、上述したように入力受付部４６にて入力を受け付けた設置予定システムの設置可否を判断し、その設置条件を算出する機能を有する（システム設置条件算出手段）。そして、その算出結果である設置予定システムの設置可否を含む設置条件を、画面表示部４４に通知し、表示部からユーザＵに対して出力する。
【００４９】
具体的に、サービス仕様の算出について説明する。まず、構成チェック部４７は、入力された設置予定システムが、その構成及び設置予定場所で設置が可能か否かを、構成チェックデータベース５１に記憶された情報と照合して判断する。ここで、構成チェックデータベース５１（設置条件情報記憶手段）には、設置場所に応じて設定された構成装置の設置条件を表す設置条件情報として、構成装置の設置可能な設置場所を表す情報を含んでいる。例えば、この設置条件情報は、ある構成装置が、設置場所に設置されているラックに収納可能かどうか、といった観点から設定されている。具体的に、図６に示す例では、構成チェックデータベース５１は、構成装置の設置場所として、「東京」（条件３）を含んでいる。つまり、設置予定システムの構成装置に「Ａ製品」がある場合には、当該「Ａ製品」の設置場所が「東京」である必要があることを示している。
【００５０】
さらに、構成チェックデータベース５１は、設置予定システムの構成装置が設置可能となるために必要とする他の構成を表す情報も含んでいる。例えば、図６に示す例では、構成チェックデータベース５１は、構成装置である「Ａ製品」の設置に必要な他の構成として、「ＯＳＸＸＸ以上」（条件１）と「ＸＸＸ製品」（条件２）とを含んでいる。つまり、設置予定システムの構成装置に「Ａ製品」がある場合には、当該設置予定システムを構成する他の装置に、「ＸＸＸ以上のＯＳ」と、「ＸＸＸ製品」を含んである必要があることを示している。
【００５１】
そして、構成チェック部４７は、上述した構成チェックデータベース５１に記憶された設置条件情報に基づいて、設置予定システムの設置が可能か否かを判断する。例えば、図６に示す例では、設置予定システムを構成するすべての構成装置（Ａ製品等）が、構成チェックデータベース５１に記憶されている条件を満たす場合に、設置可能と判断する。但し、図６に示す例では、構成「Ａ製品」は適合と判断され、また「Ｂ製品」と「Ｃ製品」は設置場所の条件を満たすものの、必要な他の装置の条件を満たしていないため、設置不可を判断される。
【００５２】
次に、構成見積部４８について説明する。構成見積部４８は、入力された設置予定システムの構成の価格を、構成見積データベース５２に記憶されている情報と照合して算出する。ここで、構成見積データベース５２（設置条件情報記憶手段）には、設置場所に応じて設定された構成装置の価格（設置条件情報）を含んでいる。例えば、図７に示す例では、構成見積データベース５２は、構成装置である「Ｂ製品」の価格として、設置場所が「本州」であれば価格が「180,000円」であり、設置場所が「北海道あるいは沖縄」であれば価格が「200,000円」であることを示している。なお、この構成見積データベース５２には、設置位置に応じた価格情報だけでなく、予め設定された構成装置の設置台数（導入台数）に応じた価格も記憶されている。
【００５３】
そして、構成見積部４８は、上述した構成見積データベース５２に記憶された設置条件情報に基づいて、設置予定システムの価格を算出する。例えば、図７に示す例では、設置予定システムを構成する「Ｂ製品」は、設置予定場所が「東京」であるため、その価格は「本州」に設置するときの価格が適用され、「180,000円」と算出する。
【００５４】
次に、キャパシティ見積部４９について説明する。キャパシティ見積部４９は、入力された設置予定システムの設置場所に、物理的な空き、容量的な空きがあって、設置可能か否かを判断する。ここで、キャパシティ見積データベース５３（設置条件情報記憶手段）には、設置場所毎における装置の設置許容数（設置条件情報）、及び／あるいは、設置場所毎における設置許容容量（設置条件情報）を含んでいる。例えば、図８に示す例におけるキャパシティ見積データベース５３は、装置の設置許容数として、設置場所「東京」は「１００」の装置が設置可能であることを示している。この設置許容数は、例えば、設置場所内の収容ラックの空き数が対応している。また、図８に示す例におけるキャパシティ見積データベース５３は、設置場所に関係なく全体的に設置許容容量、つまり、最大ディスク容量と、最大メモリ容量が記憶されている。但し、この設置許容容量は、設置場所毎に設定されていてもよい。例えば、「東京」における最大ディスク容量と最大メモリ容量が記憶されていてもよい。
【００５５】
そして、キャパシティ見積部４９は、上述したキャパシティ見積データベース５３に記憶された設置条件情報に基づいて、設置予定システムの構成装置が、設置予定場所に設置可能であるか否かを判断する。このとき、例えば、図８に示す例では、設置予定システムを構成する各構成装置のディスク使用量と常時メモリ使用量と収納場所とを表す情報が、入力受付部４６から入力されたとする。なお、設置予定システムを構成する各構成装置のディスク使用量と常時メモリ使用量とは、入力された構成装置を特定する情報から、管理サーバ４内に記憶されている装置とディスク使用量及び常時メモリ使用量との対応データに基づいて、自動的に特定されてもよい。そして、図８の例では、設置予定システムの「Ａ製品」を見ると、ディスク使用量「100MB」、常時メモリ使用量「10MB」、収納場所は「東京」であるため、キャパシティ見積データベース５３の最大ディスク容量、最大メモリ容量、収納製品数の範囲内にある。そして、全ての構成装置（Ａ〜Ｅ製品）のディスク使用量、常時メモリ使用量、収納場所の製品数が、データベース内の範囲内にある場合には、設置予定システムが設置可能であると判断する。
【００５６】
なお、このとき、キャパシティ見積部４９は、キャパシティ見積データベース５３内の情報から、設置予定システムの構成装置のディスク容量などを差し引いた値を、サービス仕様算出部４５に通知して、画面表示部４４からユーザＵに対して表示出力してもよい。
【００５７】
また、上記データベース更新部５０（設置条件情報更新手段）は、上述したロケーション収集部４３から収集した情報、特に、設置システム１，２，３の物理ロケーション情報に基づいて、当該設置システム１，２，３の設置場所が変化したことを検出したときに、上記構成チェックデータベース５１、構成見積データベース５２、キャパシティ見積データベース５３、を更新する。例えば、ある設置システムの設置場所が東京から北海道に移動した場合には、キャパシティ見積データベース５３内の設置場所毎の設置許容数、つまり、東京の設置許容数が増え、北海道の設置許容数が減る、というように更新する。同様に、キャパシティ見積データベース５３内に設置場所毎の設置許容容量が記憶されている場合には、当該設置許容容量を更新してもよい。
【００５８】
また、データベース更新部５０は、設置システムの設置場所の変化に応じて、構成チェックデータベース５１に記憶されている各構成装置の設置場所の条件も変化させて更新してもよい。例えば、ある設置場所の収容ラックから特定の構成装置が取り外された場合には、かかる収容ラックに同一種類の構成装置を設置可能となるため、当該構成装置の設置可能場所を追加更新することができる。さらには、データベース更新部５０は、設置システムの設置場所の変化に応じて、構成見積データベース５２に記憶されている各構成装置の設置場所毎の価格を変化させて更新してもよい。例えば、ある場所に設置されている構成装置の設置数が所定値を超えると、販売網が充実することが考えられ、かかる理由から、その設置場所における構成装置の価格を下げるよう更新してもよい。なお、データベース更新部５０におけるデータの更新例は一例であって、更新方法は上述した例に限定されない。
【００５９】
［動作］
次に、上述した構成管理システムの動作を、図９乃至図１２のフローチャートを参照して説明する。
【００６０】
まず、物理ロケーション通知・表示処理（図９のステップＳ１，Ｓ３，Ｓ４）の動作を説明する。設置システム１，２，３の物理ロケーション通知部１１，２１，３１は、一定の時間間隔にて、自システム１，２，３の場所、高さを表す情報を、ＧＰＳ機能によって特定し（図１０のステップＳ１１）、物理ロケーション検知部６に送出する（図１０のステップＳ１２）。続いて、物理ロケーション検出部６は、取得した各設置システム１，２，３の物理ロケーション情報を、管理サーバ４の物理ロケーション収集部４１に送信する（図１０のステップＳ１３）。これにより、管理サーバ４に物理ロケーション情報が通知される（図９のステップＳ１）。
【００６１】
続いて、管理サーバ４の物理ロケーション収集部４１は、収集した物理ロケーション情報をロケーション収集部４３に通知し、当該ロケーション収集部４３は、座標定義と照合する（図１０のステップＳ１４）。このとき、物理ロケーション情報を、（Ｘ，Ｙ，Ｚ）座標上で管理し、予めシステムが保持している場所（住所）と座標の対応表と照合して、実際の物理ロケーション（例えば、住所）を特定する。その後、ロケーション収集部４３は、各設置システム１，２，３の物理ロケーションを、地図上に表示可能なよう表示用に整形し、画面表示部４４に送出する（図１０のステップＳ１５）。このようにして、ロケーション収集処理が行われる（図９のステップＳ３）。
【００６２】
その後、管理サーバ４の画面表示部４４は、システム利用者Ｕに対して、整形したロケーション情報およびシステムの構成情報を、表示部にて表示する（図９のステップＳ４、図１０のステップＳ１６）。
【００６３】
次に、論理ロケーション通知・表示処理（図９のステップＳ２，Ｓ３，Ｓ４）の動作を説明する。
【００６４】
まず、各設置システム１，２，３の論理ロケーション通知部１２，２２，３２は、一定の時間間隔にて、設置システム１，２，３自体の論理的なロケーションを、随時ＢＩＯＳやマザーボードのＲＡＭに書き込む（図１１のステップＳ２１）。そして、各設置システム１，２，３は、一定の時間間隔にて、電源の入っていない状態であっても、論理的ロケーションを管理サーバ４の論理ロケーション収集部４２に通知する（図１１のＳ２２）。これにより、管理サーバ４に論理ロケーション情報が通知される（図９のステップＳ２）。
【００６５】
続いて、管理サーバ４の論理ロケーション収集部４２は、収集した論理ロケーション情報をロケーション収集部４３に通知し、当該ロケーション収集部４３は、論理ロケーション情報をルーティングテーブルと照合し、論理ロケーションを割り出す（図１１のステップＳ２３）。その後、ロケーション収集部４３は、各設置システム１，２，３の論理ロケーションを、論理ネットワーク構成図上に表示可能なよう表示用に整形し、画面表示部４４に送出する（図１１のステップＳ２４）。このようにして、ロケーション収集処理が行われる（図９のステップＳ３）。
【００６６】
その後、管理サーバ４の画面表示部４４は、システム利用者Ｕに対して、整形したロケーション情報およびシステムの構成情報を、表示部にて表示する（図９のステップＳ４、図１１のステップＳ２５）。
【００６７】
続いて、上述したように設置システム１，２，３の物理ロケーション情報及び論理ロケーション情報を取得した管理サーバ４は（設置システム情報取得工程）、当該管理サーバ４のデータベース更新部５０にて、各データベース５１，５２，５３（設置条件情報記憶手段）内の情報（設置条件情報）を更新する（図９のステップＳ５、設置条件情報更新工程）。
【００６８】
例えば、ある設置システムの設置場所が東京から北海道に移動した場合には、キャパシティ見積データベース５３内の設置場所毎の設置許容数、つまり、東京の設置許容数を増やし、北海道の設置許容数を減らすよう更新する。また、例えば、ある設置場所において特定の構成装置の空きが生じた場合には、当該構成装置についてその設置場所を設置可能な条件として追加するよう、構成チェックデータベース５１内の情報を更新してもよい。さらには、例えば、ある場所に設置されている構成装置の設置数が所定値を超えた場合には、かかる設置場所の価格を下げるよう、構成見積データベース５２の内容を更新してもよい。
【００６９】
続いて、サービス仕様通知・表示処理（図９のステップＳ６，Ｓ７，Ｓ８）の動作を説明する。
【００７０】
まず、システム利用者６が、構築を予定しているシステムの構成情報を入力すると、かかる構成情報、つまり、設置予定システムの構成装置及び設置予定場所を設置予定システム情報が入力受付部４６にて受け付けられる（図９のステップＳ６、図１２のステップＳ３１、システム情報入力受付工程）。すると、この設置予定システム情報は、サービス仕様算出部４５に通知される。
【００７１】
続いて、サービス仕様算出部４５は、構成チェック部４７、構成見積部４８、キャパシティ見積部４９と協働して、入力された設置予定システムが設置可能か否か、またその価格など、設置条件を算出する（図９のステップＳ７、システム設置条件算出工程）。
【００７２】
ここで、設置条件の算出動作について、さらに詳述する。まず、構成チェック部４７は、構成チェックデータベース５１に格納されている情報と、入力された設置予定システムの構成情報と、を照合して（図１２のステップＳ３２）、設置予定場所に設置予定システムが設置可能か否かを判断する（図１２のステップＳ３３）。具体的には、図６の設置予定システムとして入力された「Ａ製品」を例とすると、当該Ａ製品に合致する製品名を構成チェックデータベース５１から検索して、条件を読込む。そして、読込まれた条件のうち、当該Ａ製品に必要な製品、組み込みソフトウェアのバージョン、ロケーション等を満たすことができているか、入力された設置予定システムの情報と照合する。この結果、全ての条件と合致していた場合は「適合」、条件と合致していなかった場合は「不適合」と判断する。
【００７３】
次に、構成見積部４８は、構成見積データベース５２に記憶されている情報と、入力された設置予定システムの構成情報（製品リスト、物理ロケーション、台数など）を照合して（図１２のステップＳ３４）、各構成の価格及びシステム全体の価格を算出する（図１２のステップＳ３５）。具体的には、図７の設置予定システムとして入力された「Ｂ製品」を例とすると、当該Ｂ製品に合致する製品名を構成見積データベース５２から検索して、入力された「Ｂ製品」の設置条件と合致する条件（ロケーション、台数）における価格を算出する。この例では、設置予定システムの「Ｂ製品」は、物理ロケーションが「東京」であるため、当該「Ｂ製品」の「本州の価格」が構成見積として算出される。
【００７４】
次に、キャパシティ見積部４９は、キャパシティ見積データベース５３に記憶されている情報と、設置予定システムの構成情報（構成製品のディスク使用量、常時メモリ使用量、収納場所など）を照合して（図１２のステップＳ３６）、設置場所のキャパシティ、つまり、収納場所が存在し、また、ディスク容量やメモリ容量的に設置可能であるか否かを算出する（ステップＳ３７）。具体的には、図８の設置予定システムとして入力された「Ａ製品」を例とすると、当該Ａ製品は、ディスク使用量100MB、常時メモリ使用量10MB、収納場所は東京が読取れる。この情報を元に、キャパシティ見積データベース５３の最大ディスク容量、最大メモリ容量、収納製品数から、これらの情報に合致する値を差し引いて、余裕があれば設置可能と判断する。
【００７５】
そして、上記処理によって算出されたサービス仕様情報は、表示用に成型した後にサービス仕様算出部４５から画面表示部４４に送出され（ステップＳ３８）、表示部を介してシステム利用者Ｕへの表示される（図１２のステップＳ３９）。
【００７６】
以上により、本発明によると、予め設置場所に応じた構成装置の設置条件情報を記憶しており、かかる情報に基づいて設置予定システムの設置予定場所における設置可否を含む設置条件を算出することができるため、容易かつ迅速に設置予定システムの設置可否、及び、設置条件を把握することができる。さらに、設置システムの設置場所の移動に応じて、設置場所に応じた設置条件情報を更新するため、現状に適切に対応した設置予定システムの設置可否、及び、設置条件を算出することができる。
【００７７】
なお、上述した管理サーバ４は、図１３に示すよう構成されていてもよい。具体的に、図１３に示す管理サーバ１００は、装備している記憶装置に、予め設置場所に応じた構成装置の設置条件情報を記憶した設置条件情報記憶部１０３を備えている。なお、この設置条件情報記憶部１０３は、上述した構成チェックデータベース５１、構成見積データベース５２、キャパシティ見積データベース５３と同様の内容を記憶している。
【００７８】
また、管理サーバ１００は、装備している演算装置に所定のプログラムが組み込まれることによって構築された、システム情報入力受付部１０１と、システム設置条件算出部１０２と、を備えている。そして、システム情報入力受付部１０１は、上記入力受付部４６と同様の機能を有し、ユーザＵなどから入力された設置予定システムの情報を受け付けて、システム設置条件算出部１０２に渡す。また、システム設置条件算出部１０２は、上記画面表示部４４、サービス仕様算出部４５、構成チェック部４７、構成見積部４８、キャパシティ見積部４９と同様の機能を有している。従って、システム設置条件算出部１０２は、設置条件情報記憶部１０３に記憶された情報に基づいて、入力された設置予定システムの設置予定場所における当該設置予定システムの設置可否を含む設置条件を算出して、ユーザＵに出力することができる。
【産業上の利用可能性】
【００７９】
本発明は、種々の場所に設置するシステムを検討する際に、当該システムの設置条件を算出する用途に利用でき、産業上の利用可能性を有する。
【図面の簡単な説明】
【００８０】
【図１】構成管理システムの構成を示すブロック図である。
【図２】構成管理システムを構成する各装置の詳細な構成を示すブロック図である。
【図３】物理ロケーションの座標定義を示す説明図である。
【図４】設置システムの物理ロケーションの表示例を示す図である。
【図５】設置システムの論理ロケーションの表示例を示す図である。
【図６】設置予定システムの構成チェックの一例を示す図である。
【図７】設置予定システムの構成見積の一例を示す図である。
【図８】設置予定システムのキャパシティ見積の一例を示す図である。
【図９】構成管理システムの動作を示すフローチャートである。
【図１０】構成管理システムの動作を示すフローチャートである。
【図１１】構成管理システムの動作を示すフローチャートである。
【図１２】構成管理システムの動作を示すフローチャートである。
【図１３】本発明の他の構成例を示すブロック図である。
【符号の説明】
【００８１】
１，２，３  設置システム
４  管理サーバ
６  物理ロケーション検知部
１０，２０，３０  構成管理エージェント
１１，２１，３１  物理ロケーション通知部
１２，２２，３２  論理ロケーション通知部
４０  構成管理マネージャ
４１  物理ロケーション収集部
４２  論理ロケーション収集部
４３  ロケーション収集部
４４  画面表示部
４５  サービス仕様算出部
４６  入力受付部
４７  構成チェック部
４８  構成見積部
４９  キャパシティ見積部
５０  データベース更新部
５１  構成チェックデータベース
５２  構成見積データベース
５３  キャパシティ見積データベース
１００  管理サーバ
１０１  システム情報入力受付部
１０２  システム設置条件算出部
１０３  設置条件情報記憶部
【図１】
0004867951.tif 000002
【図２】
0004867951.tif 000003
【図３】
0004867951.tif 000004
【図４】
0004867951.tif 000005
【図５】
0004867951.tif 000006
【図６】
0004867951.tif 000007
【図７】
0004867951.tif 000008
【図８】
0004867951.tif 000009
【図９】
0004867951.tif 000010
【図１０】
0004867951.tif 000011
【図１１】
0004867951.tif 000012
【図１２】
0004867951.tif 000013
【図１３】
0004867951.tif 000014